(57)【要約】【課題】  デジタル放送を受信するデジタル受信装置において、移動体の現在地に応じて受信可能な放送サービス一覧及び／又は番組表を表示してユーザが短時間で所望の放送サービスを選局することができるようにする。【解決手段】  デジタル受信装置１０は移動体に搭載され、少なくともチャンネル番号、放送局名、及び放送対象地域を示すＳＩ情報が付加されたデジタル放送を受信する。デジタル受信装置には放送局毎にＳＩ情報を記憶するメモリ１９が備えられ、制御ＣＰＵ２０では現在視聴中のデジタル放送に付加されたＳＩ情報からその放送対象地域を現在放送対象地域として特定し、現在放送対象地域又は現在放送対象地域に隣接する放送対象地域である隣接地域と同一の放送対象地域を有するＳＩ情報がメモリ中に存在するか否かを調べて、存在すると当該ＳＩ情報をメモリから読み出す。そして、制御ＣＰＵはメモリから読み出されたサービス情報に応じて受信可能放送局を一覧表示する。【選択図】        図１
2006115319.tif 000002
【特許請求の範囲】
【請求項１】
サービス情報が付加されたデジタル放送を受信するデジタル受信装置において、
放送局毎に前記サービス情報を記憶する記憶手段と、
現在視聴中のデジタル放送に付加された前記サービス情報からその放送対象地域を現在放送対象地域として特定する地域特定手段と、
前記記憶手段に前記現在放送対象地域又は該現在放送対象地域に隣接する放送対象地域である隣接地域と同一の放送対象地域を有するサービス情報が存在するか否かを検出して、存在すると当該サービス情報を前記記憶手段から読み出す放送対象地域判定手段と、
前記記憶手段から読み出されたサービス情報に応じて受信可能放送局を一覧表示する表示制御手段とを有することを特徴とするデジタル受信装置。
【請求項２】
放送対象地域毎に当該放送対象地域に隣接する隣接地域を規定する隣接地域テーブルを有することを特徴とする請求項１記載のデジタル受信装置。
【請求項３】
表示制御手段は、記憶手段から読み出されたサービス情報に基づいてチャンネル番号及び放送局名を表示するようにしたことを特徴とする請求項１又は請求項２記載のデジタル受信装置。
【請求項４】
サービス情報には当該デジタル放送で送信される放送番組を示す放送番組表が備えられており、
表示制御手段は、記憶手段から読み出されたサービス情報に基づいて前記番組表を表示するようにしたことを特徴とする請求項３記載のデジタル受信装置。
【請求項５】
表示制御手段は、記憶手段から読み出されたサービス情報に基づいて放送対象地域を表示するようにしたことを特徴とする請求項３又は請求項４記載のデジタル受信装置。
【発明の詳細な説明】
【技術分野】
【０００１】
この発明は、デジタル放送を受信するデジタル受信装置に関し、特に、移動体に搭載されて移動体の位置に応じて受信可能な放送局の一覧を表示することのできるデジタル受信装置に関するものである。
【背景技術】
【０００２】
一般に、デジタル放送（例えば、地上デジタル放送）においては、一つの放送局から送信されるデジタル放送波（トランスポートストリーム（Ｔｒａｎｓｐｏｒｔ  Ｓｔｒｅａｍ：ＴＳ）には少なくとも一つの放送サービスが含まれており、このＴＳには、映像信号及び音声信号の他に、放送周波数（送信チャンネル番号）、放送局名、番組情報（例えば、番組名、番組毎の放送時間、及び番組概要）、及び放送対象地域（送信エリア）等の付加情報が含まれている。そして、この付加情報はＳＩ（Ｓｅｒｖｉｃｅ  Ｉｎｆｏｒｍａｔｉｏｎ）情報と呼ばれている。
【０００３】
このようなデジタル放送を受信するデジタル受信装置では、メモリにＳＩ情報を蓄積しておき、受信可能な放送サービス一覧をモニターに表示するとともに、選択的に放送サービス毎の番組表を生成してモニターに表示するようにしている。そして、ユーザがデジタル放送を受信する際には、放送サービス一覧及び／又は番組表を参照して所望の放送サービス（放送チャンネル）を選局するようにしている。
【０００４】
ところで、固定的に配置されたデジタル受信装置においては、当該デジタル受信装置が設置された位置で受信可能な放送局は限られており、このようなデジタル受信装置において、上述の放送サービス一覧及び番組表を表示する際には、放送サービス一覧又は番組表で表示される情報量は少なくて済む。このため、ユーザが所望の放送サービスを選局する際には、短時間で容易に放送サービスを選局することができることになる。
【０００５】
一方、移動体に搭載されたデジタル受信装置では、移動体の移動に応じて受信可能な放送局が変わるため、ユーザが所望の放送サービスを選局する際には、全国の放送局を網羅した放送サービス一覧及び／又は番組表をモニターに表示しなければならず、このような多量の情報から移動体の位置によって受信可能な放送局から所望の放送サービスを選局するには時間が掛かってしまい、選局に非常に手間が掛かってしまうことになる。
【０００６】
移動体において所望の放送サービスの選局を容易にするため、ＧＰＳ機能によって移動体の現在地を測位して、この現在地に応じて受信可能なチャンネルを表示するとともに、当該チャンネルの受信感度レベルを表示して、移動体の移動に応じて受信可能なチャンネル及び受信感度レベルを知らせて、いずれのチャンネルを受信するのが最適であるか認識することができるようにしたものがある（例えば、特許文献１参照）。
【０００７】
【特許文献１】特開平５−８３６４８号公報（第２頁〜第３頁、第１図〜第２図）
【発明の開示】
【発明が解決しようとする課題】
【０００８】
従来のデジタル受信装置は以上のように構成されているので、移動体にＧＰＳ装置等の測位装置が搭載されていないと、移動体の現在地において受信可能な放送サービス一覧及び／又は番組表を表示することができず、結果的に全国の放送局を網羅した放送サービス一覧及び／又は番組表をモニターに表示しなければならない。しかも、車載用デジタル受信装置のようにモニターが小型である際には、放送サービス一覧及び／又は番組表を一括してモニター上に表示することが難しく、ユーザはスクロール機能によって表示すべき放送サービス及び／又は番組表を切り替えなければならない。
【０００９】
このように従来のデジタル受信装置は測位装置を別に備える必要があり、そのため、デジタル受信装置自体が高価になってしまうという課題があった。加えて、移動体の現在地に応じて受信可能な放送サービス一覧及び／又は番組表を表示する際には、受信感度レベルも考慮しなければならず、受信可能な放送サービス一覧及び／又は番組表を表示する際の処理が複雑になってしまうという課題があった。
【００１０】
この発明は上記のような課題を解決するためになされたもので、移動体の現在地に応じて受信可能な放送サービス一覧及び／又は番組表を表示してユーザが短時間で所望の放送サービスを選局することのできるデジタル受信装置を得ることを目的とする。
【課題を解決するための手段】
【００１１】
この発明に係るデジタル受信装置は、放送局毎にサービス情報を記憶する記憶手段と、現在視聴中のデジタル放送に付加されたサービス情報からその放送対象地域を現在放送対象地域として特定する特定手段と、記憶手段に現在放送対象地域又は現在放送対象地域に隣接する放送対象地域である隣接地域と同一の放送対象地域を有するサービス情報が存在するか否かを調べて存在すると当該サービス情報を記憶手段から読み出す放送対象地域判定手段と、記憶手段から読み出されたサービス情報に応じて受信可能放送局を一覧表示する表示制御手段とを有することを特徴とする。
【発明の効果】
【００１２】
この発明によれば、現在視聴中のデジタル放送に係るサービス情報から現在現在視聴中のデジタル放送の放送対象地域を特定して、現在視聴中の放送対象地域又は現在視聴中の放送対象地域に隣接する隣接地域と同一の放送対象地域を有するサービス情報が記憶手段に存在するか否かを調べて、存在すると当該サービス情報を記憶手段から読み出して、このサービス情報に応じて受信可能放送局を一覧表示するように構成したので、移動体の現在地に応じた受信可能なデジタル放送（放送サービス）のみを表示することができる結果、ユーザは短時間に所望のデジタル放送を選局することができるという効果がある。
【発明を実施するための最良の形態】
【００１３】
実施の形態１．
図１は本発明の実施の形態１によるデジタル受信装置の一例を示すブロック図であり、図示のデジタル受信装置は地上デジタル放送を受信するためのデジタル受信装置である。地上デジタル放送においては、一つの放送局（図示せず）からは一つのデジタル放送波が送信されており、このデジタル放送波はトランスポートストリーム（Ｔｒａｎｓｐｏｒｔ  Ｓｔｒｅａｍ：ＴＳ）と呼ばれる。ＴＳには、他のＴＳと識別する際に使用する固有の番号ＴＳ＿ＩＤが付与されている。そして、一つのＴＳには少なくとも一つの放送サービスが含まれており、各放送サービスにはサービス識別番号（Ｓｅｒｖｉｃｅ＿ｉｄ）が付与されている。
【００１４】
地上デジタル放送では、例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いており、ＴＳには、デジタル映像信号（ビデオストリーム）、デジタル音声信号（オーディオストリーム）、及びサービス情報（Ｓｅｒｖｉｃｅ  Ｉｎｆｏｒｍａｔｉｏｎ：ＳＩ情報）が含まれ、このＳＩ情報には、例えば、ＴＳ＿ＩＤ、送信チャンネル（３桁の番号）、放送局名、番組情報、及び放送対象地域等を示すデータが含まれている（例えば、ＳＩ情報中のＮＩＴ（Ｎｅｔｗｏｒｋ  Ｉｎｆｏｒｍａｔｉｏｎ  Ｔａｂｌｅ）に含まれるサービスリスト記述子中のＳｅｒｖｉｃｅ＿ｉｄに含まれる地域識別子によって放送対象地域が判別される）。
【００１５】
図１において、デジタル受信装置１０は、チューナ１１、直交周波数分割多重（ＯＦＤＭ）復調部１２、デマルチプレクサ１３、オーディオデコーダ１４、ビデオデコーダ１５、音声制御部１６、映像制御部１７、ＧＵＩ（Ｇｒａｐｈｉｃ  Ｕｓｅｒ  Ｉｎｔｅｒｆａｃｅ）部１８、メモリ（記憶手段）１９、制御ＣＰＵ２０、及びリモコン制御部２１を備えている。チューナ１１で選局されたチャンネルの放送サービスに係るデジタル放送波はアンテナ２２を介して受信され、チューナ１１において選局対象であるデジタル放送波の周波数成分が抽出されて、ＯＦＤＭ復調部１２においてデジタル信号に復調され、ＴＳとしてデマルチプレクサ１３に与えられる。
【００１６】
デマルチプレクサ１３では、ＴＳからオーディオストリーム、ビデオストリーム、及びＳＩ情報を分離して、これらオーディオストリーム、ビデオストリーム、及びＳＩ情報をそれぞれオーディオデコーダ１４、ビデオデコーダ１５、制御ＣＰＵ２０に与える。オーディオデコーダ１４ではオーディオストリームをデコードして、オーディオ復号化信号として音声制御部１６に与える。そして、音声制御部１６ではオーディオ復号化信号をアナログ音声信号として出力する。
【００１７】
同様にして、ビデオデコーダ１５ではビデオストリームをデコードして、ビデオ復号化信号として映像制御部１７に与える。そして、映像制御部１７ではビデオ復号化信号をアナログビデオ信号とする。一方、制御ＣＰＵ２０では、ＳＩ情報から番組情報を抽出して、この番組情報をＧＵＩ部１８に渡す。ＧＵＩ部１８では、例えば、番組情報に応じて放送番組表を生成し、この放送番組表を映像制御部１７に与える。映像制御部１７では前述のアナログビデオ信号と放送番組表を合成して合成信号として出力することになる。
【００１８】
また、制御ＣＰＵ２０では、ＳＩ情報から抽出したＴＳ＿ＩＤ、送信チャネル、放送局名、及び放送対象地域を表すデータをメモリ１９に保存することになる。なお、ユーザが選局の際リモコン（図示せず）を操作すると、その選局コマンドがリモコン制御部２１から制御ＣＰＵ２０に与えられて、制御ＣＰＵ２０は選局コマンドに応じてチューナ１１又はＧＵＩ部１８を制御してチューナ１１によって選局を行い、ＧＵＩ部１８によって前述したように放送番組表を合成する（また、ＧＵＩ部１８によってメニュー画面が生成される）。
【００１９】
さらに、ＯＦＤＭ復調部１２、デマルチプレクサ１３、オーディオデコーダ１４、ビデオデコーダ１５、音声制御部１６、及び映像制御部１７は、リモコン制御部２１から制御ＣＰＵ２０に与えられる制御コマンドによって制御される。
【００２０】
また、図示のデジタル受信装置１０は、スクロール機能機能を有しており、このスクロール機能によって、モニター（図示せず）に表示される放送番組表をスクロール表示し、ユーザはモニターに表示される放送サービス一覧（チャンネル一覧）及び／又は放送番組表を参照して、所望の放送サービスを選局することになる。
【００２１】
図２は制御ＣＰＵ２０の構成の一例を示すブロック図であり、制御ＣＰＵ２０は、ＳＩ取得／書き込み／読み出し部２０ａ、ＳＩ解析部２０ｂ、チャンネル一覧画面作成部２０ｃ、放送対象地域比較部２０ｄ、チャンネル一覧データ作成部２０ｅ、チャンネル一覧表示指示入力部２０ｆ、及び隣接地域テーブル２０ｇを有しており、地上デジタル放送の視聴中に取得したＳＩ情報は、ＳＩ取得／書き込み／読み出し部２０ａによって、ＴＳ毎にメモリ１９に保存される。
【００２２】
さらに、デジタル受信装置１０がスタンバイ状態の際においても、各放送局をスキャンして取得したＳＩ情報がＳＩ取得／書き込み／読み出し部２０ａによってメモリ１９にＴＳ毎に保存される。このようにして、メモリ１９にはＴＳ毎のＳＩ情報が保存されることになる。
【００２３】
なお、隣接地域テーブル２０ｇには、例えば、都道府県毎に当該都道府県に隣接する都道府県が格納されており、放送対象地域として示された都道府県に隣接して当該放送サービスが受信できる可能性がある都道府県が予め格納されている。図３は隣接地域テーブル２０ｇの一例を示す図であり、図示の例では、放送対象地域が京都である際には、隣接地域として、滋賀、大阪、及び福井が格納されている。
【００２４】
同様にして、放送対象地域が大阪である際には、隣接地域として、京都、兵庫、及び奈良が格納されている。また、放送対象地域が東京である際には、隣接地域として、埼玉、神奈川、千葉、及び山梨が格納され、放送対象地域が埼玉である際には、隣接地域として、東京、山梨、栃木、及び群馬が格納されている（なお、図３は隣接地域テーブル２０ｇの一部分のみを示しており、実際には全国の都道府県について隣接地域が設定されている）。
【００２５】
ユーザのリモコン操作によって、チャンネル一覧表示指示コマンドがリモコン制御部２１から制御ＣＰＵ２０に与えられると、後述するようにして、制御ＣＰＵ２０はチャンネル一覧画面を生成して、ＧＵＩ部１８を介してモニター上に表示することになる。
【００２６】
次に動作について説明する。
図２及び図４を参照して、いま、ユーザのリモコン操作によって、チャンネル一覧表示指示コマンドがリモコン制御部２１から制御ＣＰＵ２０に与えられると（ステップＳＴ１）、チャンネル一覧表示指示入力部２０ｆでチャンネル一覧表示指示コマンドが検知されて、チャンネル一覧表示指示入力部２０ｆからチャンネル一覧表示指示検知信号がＳＩ解析部２０ｂに与えられる。ＳＩ解析部２０ｂではＳＩ取得／書き込み／読み出し部２０ａを介してメモリ１９をアクセスし、現在視聴中のＴＳに係るＳＩ情報を得る。
【００２７】
ＳＩ解析部２０ｂでは現在視聴中のＴＳに係るＳＩ情報から放送対象地域（以下この放送対象地域を現在放送対象地域と呼ぶ）を検出して（ステップＳＴ２）、この現在放送対象地域に応じて隣接地域テーブル２０ｇを検索して、隣接地域を検出する（ステップＳＴ３）。図３には示されていないが、放送対象地域が「高知」である際には、隣接地域は、県境を「高知」と接している「徳島」、「香川」、及び「愛媛」となる。
【００２８】
そして、ＳＩ解析部２０ｂではＳＩ取得／書き込み／読み出し部２０ａを制御して、ＳＩ情報を読み出して（ステップＳＴ４）、読み出したＳＩ情報についてその放送対象地域（以下この放送対象地域を読み出し放送対象地域と呼ぶ）を検出する（ステップＳＴ５）。この読み出し放送対象地域と前述の現在放送対象地域及び隣接地域は放送対象地域比較部２０ｄに与えられて、放送対象地域比較部２０ｄでは読み出し放送対象地域と現在放送対象地域及び隣接地域とを比較して、現在放送対象地域又は隣接地域に読み出し放送対象地域と同一の地域があるか否かを判定する（ステップＳＴ６）。
【００２９】
そして、現在放送対象地域又は隣接地域に読み出し放送対象地域と同一の地域があると、放送対象地域比較部２０ｄではＳＩ取得／書き込み／読み出し部２０ａを制御して当該読み出し放送対象地域に係るＳＩ情報を得て、このＳＩ情報をチャンネル一覧データ作成部２０ｅに渡す。
【００３０】
チャンネル一覧データ作成部２０ｅでは、放送対象地域比較部２０ｄから渡されたＳＩ情報に基づいて、例えば、ＴＳ＿ＩＤ、チャンネル番号に相当する三桁の番号、放送局名、及び放送対象地域を抽出して、チャンネル一覧データに追加する（ステップＳＴ７）。続いて、ＳＩ解析部２０ｂではメモリ１９から全てのＳＩ情報を読み出したか否かを調べて（ステップＳＴ８）、全てのＳＩ情報を読み出していなければ、ステップＳＴ４に戻って処理を続行する。このようにして、メモリ１９に格納された全てのＳＩ情報について、ステップＳＴ４〜ＳＴ７の処理を行うと、例えば、図５に示すチャンネル一覧データが得られる。
【００３１】
図５に示す例は、現在放送対象地域が「高知」で、その隣接地域が「徳島」、「香川」、及び「愛媛」である場合のチャンネル一覧データの例であり、放送対象地域が「高知」、「徳島」、「香川」、及び「愛媛」であるＴＳに係る情報（ＴＤ＿ＩＤ、三桁番号、放送局名、放送対象地域）のみがチャンネル一覧データとして保持されることになる。図５に示すチャンネル一覧データは、チャンネル一覧データ作成部２０ｅからチャンネル一覧画面作成部２０ｃに与えられて、チャンネル一覧画面作成部２０ｃはチャンネル一覧データに応じてチャンネル一覧画面を生成する（ステップＳＴ９）。そして、このチャンネル一覧画面はＧＵＩ部１８を介してモニターに表示される。
【００３２】
図６はチャンネル一覧画面の一例を示す図であり、ここでは、ユーザにとって必要である三桁の番号及び放送局名がチャンネル一覧画面に表示される。なお、図示はしないが、リモコンを用いて画面スクロールを行えば、チャンネル一覧データに含まれる他の情報がモニター上に表示される。
【００３３】
なお、上述の説明から明らかなように、ＳＩ解析部２０ｂが地域特定手段として機能し、ＳＩ解析部２０ｂ及び放送対象地域比較部２０ｄが放送対象地域判定手段として機能する。また、チャンネル一覧データ作成部２０ｅ及びチャンネル一覧画面作成部２０ｃが表示制御手段として機能することになる。
【００３４】
また、上述の例では、チャンネル一覧を表示する例について説明したが、ＳＩ情報に含まれる番組表を表示するようにしてもよい。つまり、現在視聴中のＴＳに係る放送対象地域又はその隣接地域と同一の放送対象地域を有するＴＳについてはのみ番組表を表示するようにしてもよい。さらには、画面スクロールを行うと、放送局名に対応付けて番組表の表示が行われるようにしてもよい。
【００３５】
加えて、上述の例では、チャンネル一覧表示指示がリモコンから与えられると、現在視聴中のデジタル放送に係る放送対象地域及び隣接地域を検出するようにしたが、例えば、デジタル放送の選局が行われると、自動的に現在視聴中のデジタル放送に係る放送対象地域及び隣接地域を検出するようにしてもよい。
【００３６】
このようにして、現在視聴中のＴＳに係るＳＩ情報からその放送対象地域を検出して、移動体が当該放送対象地域に位置すると推定して、現在視聴中のＴＳに係る放送対象地域に隣接する隣接地域を含めて、現在視聴中の放送局と隣接地域を放送対象地域とする放送局に関する情報のみを表示するようにしたので、受信可能なデジタル放送に関する情報について漏れなく表示できる。そして、受信できる可能性が極めて低いデジタル放送に関する情報については表示しないので、ユーザは短時間に所望のデジタル放送を選局できることになる。
【００３７】
以上のように、この実施の形態１によれば、現在視聴中のデジタル放送に付加されたＳＩ情報からその放送対象地域を現在放送対象地域として特定して、現在放送対象地域又は現在放送対象地域に隣接する隣接地域と同一の放送対象地域を有するＳＩ情報がメモリ中に存在するか否かを調べて、メモリ中存在すると当該ＳＩ情報をメモリから読み出して、このＳＩに応じてチャンネル一覧を表示するようにしたので、ユーザは短時間で所望のデジタル放送を選局することができることになる。
【００３８】
この実施の形態１によれば、ＳＩ情報に基づいてチャンネル番号及び放送局名をチャンネル一覧として表示するようにしたので、ユーザは選局に最低限必要な情報のみを得て、容易に選局を行うことができるという効果がある。
【００３９】
この実施の形態１によれば、ＳＩ情報に基づいて放送局名とともに番組表を表示するようにしたので、ユーザは受信可能な放送局で送信される番組を容易に把握することができるという効果がある。
【００４０】
この実施の形態１によれば、ＳＩ情報に基づいて放送対象地域も表示するようにしたので、ユーザは受信可能な放送局の送信エリアを容易に把握することができるという効果がある。
【図面の簡単な説明】
【００４１】
【図１】この発明の実施の形態１によるデジタル受信装置の構成を示すブロック図である。
【図２】図１に示すデジタル受信装置中の制御ＣＰＵの一例を詳細に示すブロック図である。
【図３】図２に示す隣接地域テーブルに格納されるデータの一例を示す図である。
【図４】図１に示すデジタル受信装置の動作の一例を説明するためのフローチャートである。
【図５】図２に示すチャンネル一覧データ作成部で生成されるチャンネル一覧データの一例を示す図である。
【図６】図２に示すチャンネル一覧画面作成部で生成されるチャンネル一覧画面の一例を示す図である。
【符号の説明】
【００４２】
１０  デジタル受信装置、１１  チューナ、１２  直交周波数分割多重（ＯＦＤＭ）復調部、１３  デマルチプレクサ、１４  オーディオデコーダ、１５  ビデオデコーダ、１６  音声制御部、１７  映像制御部、１８  ＧＵＩ（Ｇｒａｐｈｉｃ  Ｕｓｅｒ  Ｉｎｔｅｒｆａｃｅ）部、１９  メモリ、２０  制御ＣＰＵ、２０ａ  ＳＩ取得／書き込み／読み出し部、２０ｂ  ＳＩ解析部、２０ｃ  チャンネル一覧画面作成部、２０ｄ  放送対象地域比較部、２０ｅ  チャンネル一覧データ作成部、２０ｆ  チャンネル一覧表示指示入力部、２０ｇ  隣接地域テーブル、２１  リモコン制御部、２２  アンテナ。
【図１】
2006115319.tif 000003
【図２】
2006115319.tif 000004
【図３】
2006115319.tif 000005
【図４】
2006115319.tif 000006
【図５】
2006115319.tif 000007
【図６】
2006115319.tif 000008